(57)【要約】      （修正有）【課題】保持部材による弁当箱の保持により、搬送コンベアの折り返し回転や、シート等の除去動作で弁当箱が落下することを防ぐとともに、保持及び解放の切替手段をガイドレールとフォロアという簡単で確実な手段で達成した弁当箱フォルダを提供することにより、搬送コンベアの構造を簡素化する。【解決手段】弁当箱フォルダ３に次の手段を採用する。第１に、保持部材を内側に設けた弁当箱フォルダ３が装着された搬送コンベアを上面側が洗浄装置より遠ざかる方向へ進行し、下面側が該洗浄装置に向かって進行するよう直線的に設置する。第２に、保持及び解放の切替手段が、搬送コンベアの移動方向に沿い且つその間隔を大きく又は小さく設定したガイドレール３８Ａ、３８Ｂと、弁当箱フォルダ３と共に移動するフォロア３４Ａ、３４Ｂと、フォロア３４Ａ、３４Ｂの動作を保持部材に伝達する連結部材とで構成される。【選択図】図５
2014019546.tif 000002
【特許請求の範囲】
【請求項１】
上面側が洗浄装置より遠ざかる方向へ進行し、側端で反転後、下面側が該洗浄装置に向かって進行するよう直線的に設置された搬送コンベアの表面の搬送面側に装着され、且つ、搬送対象弁当箱の保持手段及び解放手段となる保持部材を内側に設けた弁当箱フォルダにおいて、
前記保持部材による弁当箱の保持及び解放の切替手段が、
前記搬送コンベアの移動方向に沿い且つその間隔を保持及び解放のために大きく又は小さく設定したガイドレールと、該ガイドレールに当接しながら前記弁当箱フォルダと共に移動するフォロアと、前記ガイドレールの間隔により接近又は離隔する該フォロアの動作を前記保持部材に伝達する連結部材とでなり、
該フォロアの接近により前記保持部材に弁当箱の保持可能な間隔を確保させ、該フォロアの隔離により前記保持部材に弁当箱の解放可能な間隔を確保させることを特徴とする弁当箱フォルダ。
【請求項２】
上記保持部材が、上記弁当箱フォルダの移動方向に長尺で該移動方向と直交する方向に進退可能な可動板と、該可動板と対向する側の上記弁当箱フォルダの側壁である固定壁よりなり、前記可動板を該固定壁に向かって進めることにより両者の間に上記弁当箱を挟持して保持するものであることを特徴とする請求項１記載の弁当箱フォルダ。
【請求項３】
上記保持部材が、上記弁当箱フォルダの移動方向に長尺で該移動方向と直交する方向に進退可能な可動板と、該可動板と対向する側の上記弁当箱フォルダの側壁である固定壁と、該可動板と該固定壁の間に設置された間隔調整アタッチメントとにより構成され、
前記可動板を該間隔調整アタッチメントに向かって進めることにより両者の間に上記弁当箱を挟持して保持可能とする請求項１記載の弁当箱フォルダ。
【請求項４】
上記保持部材が、上記弁当箱フォルダの移動方向に長尺で該移動方向と直交する方向で向かい合って、同向かい合った方向に進退可能な可動板よりなり、該可動板を互いに向かい合って進めることにより両者の間に上記弁当箱を挟持して保持するものであることを特徴とする請求項１記載の弁当箱フォルダ。
【請求項５】
上記保持部材が、上記弁当箱フォルダの移動方向の前後左右で該弁当箱フォルダの中心位置よりほぼ等距離である４カ所に各々立設された可動柱よりなり、該左右の可動柱を互いに向かい合って進めることにより該左右の可動柱の間に上記弁当箱を挟持して保持するものであることを特徴とする請求項１記載の弁当箱フォルダ。
【発明の詳細な説明】
【技術分野】
【０００１】
本発明は、内側にシートが敷かれた使用済み弁当箱に残った残菜及びシートを除去した後、該弁当箱を自動洗浄装置に搬送する搬送コンベアに装着される弁当箱フォルダに関するものである。
【背景技術】
【０００２】
使用済み弁当箱を自動洗浄装置に搬送する搬送コンベアにあっては、弁当箱に残った残菜及びシートを除去するため、更には、洗浄装置に開口面を下向きにして搬入する必要があるため、搬送コンベアの搬送路中で弁当箱を反転させることが必要である。
【０００３】
弁当箱を上面開口面を上向きにして投入し、反転させて洗浄装置に搬入するには、上面側を洗浄装置より遠ざかる方向へ進行させ、側端で反転後、下面側を洗浄装置に向かって進行するよう直線的に設置することが、最も省スペースで、効率的方法である。
【０００４】
しかし、この側端での反転や残菜やシートを除去する動作により、弁当箱が搬送コンベアから落下しないようにするためには、弁当箱を搬送コンベア上にしっかりと保持しなければならなかった。
【０００５】
、
特許文献１に開示されているように、従来から弁当箱を開口面を上向きにして投入し、弁当箱を落下させることなく反転させる搬送装置は存在した。しかし、特許文献１に開示された装置は、搬送コンベア自体が反転することにより、弁当箱を反転させるものではなく、搬送対象物である弁当箱のみを反転させるものであった。
【０００６】
該装置は投入された位置と同方向への進行中に弁当箱が落下しないように支持するものであるので、しっかりとした保持の必要もなく、エアーを利用してシートを除去するような動作に対応できる保持手段ではなかった。
【０００７】
その上、特許文献１に示される装置を応用して洗浄装置に搬入する前に、使用済み弁当箱の残菜やシートを除去してから洗浄装置へ搬入する前処理装置を製作しようとすると、該装置の中心となる搬送コンベアの小型化及び簡素化を図ることができないものであった。
【先行技術文献】
【特許文献】
【０００８】
【特許文献１】特開２００７−４５５６９号公開特許公報
【発明の概要】
【発明が解決しようとする課題】
【０００９】
本発明は、以下の課題を解決することを目的とする。
第１に、上面側が洗浄装置より遠ざかる方向へ進行し、側端で反転後、下面側が該洗浄装置に向かって進行するよう直線的に設置された搬送コンベアとすることにより、搬送コンベアの小型化及び簡素化を図る。
第２に、弁当箱フォルダ内の保持部材により、折り返し回転や、残菜やシートの除去動作により弁当箱が落下することのないしっかりとした弁当箱の保持を行いながらの搬送を確保する。
第３に、弁当箱の保持及び解放の切替手段を、ガイドレールとフォロアという簡単で確実な手段で達成する。
【課題を解決するための手段】
【００１０】
上記課題を解決するため第１の発明は、弁当箱フォルダに次の手段を採用する。
第１に、上面側が洗浄装置より遠ざかる方向へ進行し、側端で反転後、下面側が該洗浄装置に向かって進行するよう直線的に設置された搬送コンベアの表面の搬送面側に装着され、且つ、搬送対象弁当箱の保持手段及び解放手段となる保持部材を内側に設けた弁当箱フォルダとする。
第２に、前記保持部材による弁当箱の保持及び解放の切替手段が、前記搬送コンベアの移動方向に沿い且つその間隔を保持及び解放のために大きく又は小さく設定したガイドレールと、該ガイドレールに当接しながら前記弁当箱フォルダと共に移動するフォロアと、前記ガイドレールの間隔により接近又は離隔する該フォロアの動作を前記保持部材に伝達する連結部材とでなる。
第３に、該フォロアの接近により前記保持部材に弁当箱の保持可能な間隔を確保させ、該フォロアの隔離により前記保持部材に弁当箱の解放可能な間隔を確保させる。
【００１１】
第２の発明は、第１の発明における保持部材が、上記弁当箱フォルダの移動方向に長尺で該移動方向と直交する方向に進退可能な可動板と、該可動板と対向する側の上記弁当箱フォルダの側壁である固定壁よりなり、前記可動板を該固定壁に向かって進めることにより両者の間に上記弁当箱を挟持して保持するものであることを付加した弁当箱フォルダとする。
【００１２】
第３の発明は、第１の発明における保持部材が、上記弁当箱フォルダの移動方向に長尺で該移動方向と直交する方向に進退可能な可動板と、該可動板と対向する側の上記弁当箱フォルダの側壁である固定壁と、該可動板と該固定壁の間に設置された間隔調整アタッチメントとにより構成され、前記可動板を該間隔調整アタッチメントに向かって進めることにより両者の間に上記弁当箱を挟持して保持可能とすることを付加した弁当箱フォルダとする。
【００１３】
第４の発明は、第１の発明における保持部材が、上記弁当箱フォルダの移動方向に長尺で該移動方向と直交する方向で向かい合って、同向かい合った方向に進退可能な可動板よりなり、該可動板を互いに向かい合って進めることにより両者の間に上記弁当箱を挟持して保持するものであることを付加した弁当箱フォルダとする。
【００１４】
第５の発明は、第１の発明における保持部材が、上記弁当箱フォルダの移動方向の前後左右で該弁当箱フォルダの中心位置よりほぼ等距離である４カ所に各々立設された可動柱よりなり、該左右の可動柱を互いに向かい合って進めることにより該左右の可動柱の間に上記弁当箱を挟持して保持するものであることを付加した弁当箱フォルダとする。
【発明の効果】
【００１５】
第１の発明では、弁当箱フォルダ内側に、弁当箱の保持部材を設けたことにより、折り返し回転や、残菜やシートの除去動作により弁当箱が落下することのないしっかりとした弁当箱の保持を行いながらの搬送を可能とすることができた。
【００１６】
その結果、上面側が洗浄装置より遠ざかる方向へ進行し、側端で反転後、下面側が洗浄装置に向かって進行するよう直線的に設置された搬送コンベアを利用することが可能となり、搬送コンベアの小型化及び簡素化を図ることができた。
【００１７】
第１の発明では、保持部材による弁当箱の保持及び解放の切替手段が、搬送コンベアの移動方向に沿い且つその間隔を保持及び解放のために大きく又は小さく設定したガイドレールと、該ガイドレールに当接しながら弁当箱フォルダと共に移動するフォロアと、ガイドレールの間隔により接近又は離隔する該フォロアの動作を保持部材に伝達する連結部材とでなるものとすることにより、弁当箱の保持及び解放を電気的制御装置を使わずに、簡単で確実な機械要素により行うことができるものとなった。
【００１８】
第２の発明の効果ではあるが、可動板と固定壁との間に弁当箱を挟持して保持するものであるので、可動板のみ保持及び解放動作を制御すればよく、動作制御が簡単に行うことができた。
【００１９】
第３の発明の効果ではあるが、弁当箱フォルダ内に間隔調整アタッチメントを設け、可動板を間隔調整アタッチメントに向かって進めることにより両者の間に弁当箱を挟持して保持可能とし、間隔調整アタッチメントの位置を変更することで、多種類の大きさの弁当箱に対応することのできる弁当箱フォルダとなった。
【００２０】
第４の発明の効果ではあるが、相対する可動板を互いに向かい合って進めることにより両者の間に弁当箱を挟持して保持するものであるので、可動板の移動距離を短くすることができるものとなった。
【００２１】
第５の発明の効果ではあるが、保持部材が４カ所に立設された可動柱よりなり、左右の可動柱を互いに向かい合って進めることにより左右の可動柱の間に弁当箱を挟持して保持するものであるので、長尺で大きな保持部材を必要としないものとなった。
【図面の簡単な説明】
【００２２】
【図１】洗浄装置と前処理のための搬送コンベアとの関係を示す側面説明図
【図２】搬送コンベアと弁当箱フォルダとの関係を示す側面説明図
【図３】第１実施例の弁当箱フォルダ利用の搬送コンベアの平面説明図
【図４】第１実施例の弁当箱フォルダの拡大平面説明図
【図５】同Ａ−Ａ線部分断面説明図
【図６】第１実施例の弁当箱フォルダ用ガイドレールの間隔を示す部分平面説明図
【図７】第２実施例の弁当箱フォルダ利用の搬送コンベアの部分平面説明図
【図８】同正面説明図
【図９】第３実施例の弁当箱フォルダ利用の搬送コンベアの部分平面説明図
【図１０】同正面説明図
【図１１】第４実施例の弁当箱フォルダ利用の搬送コンベアの部分平面説明図
【図１２】同正面説明図
【図１３】第１実施例で、間隔調整アタッチメントを用いて幅狭の弁当箱を保持した状態を示す弁当箱フォルダの拡大平面説明図
【図１４】同断面説明図
【図１５】第１実施例で、間隔調整アタッチメントを用いて幅広の弁当箱を保持した状態を示す弁当箱フォルダの拡大平面説明図
【図１６】同断面説明図
【発明を実施するための形態】
【００２３】
以下、図面に従って、実施例と共に本発明の実施の形態について説明する。図１は、前処理装置１の一実施例を示す側面説明図である。前処理装置１は、内側にシートが敷かれた使用済み弁当箱８を洗浄装置５へ搬入する前処理として、弁当箱８内の残菜及びシートの除去を行う装置である。
【００２４】
前処理装置１は、弁当箱フォルダ３が装着された搬送コンベア２と残菜及びシート除去装置とからなる。本発明の特徴は弁当箱フォルダ３が装着された搬送コンベア２にある。尚、図１中符号６は、搬送コンベア２の下流端付近の下方に設置された洗浄装置５の搬入部である。
【００２５】
搬送コンベア２は、輪状でエンドレスに張られ、洗浄装置５に向かって直線的に設置される。搬送コンベア２の移動方向は図中左回りである。即ち、図１及び図２の太い矢印に示されるように、搬送コンベア２の上面側が洗浄装置５より遠ざかる方向へ進行し、側端で垂直方向に回転し反転した後、下面側が洗浄装置５に向かってまっすぐに進行する。
【００２６】
搬送コンベア２の移動路には、図１及び図２に示されるように弁当箱投入部１１と、弁当箱保持部１２と、使用済み弁当箱のシート及び残菜を除去する除去部１３と、弁当箱受渡部１４とが設けられている。
【００２７】
弁当箱投入部１１は、搬送コンベア２の上面側の上流位置に設けられ、使用済み弁当箱８が投入される位置である。弁当箱保持部１２は、弁当箱投入部１１の下流で且つ洗浄装置５と反対方向の折り返し回転位置１０ａの手前に設けられる弁当箱８の保持を開始する位置である。
【００２８】
除去部１３は、搬送コンベア２の洗浄装置５と反対方向の折り返し回転位置１０ａの下方部に設けられている。弁当箱受渡部１４は、除去部１３の下流で洗浄装置５側の折り返し回転位置１０ｂの下方部に設けられており、弁当箱８の保持を解除して落下させ洗浄装置５の搬入部６へ弁当箱８を受け渡す位置である。
【００２９】
搬送コンベア２は、図２及び図３に示されるように、基枠７の前後に設けられた左右の前スプロケット２１と後スプロケット２２に輪状でエンドレスとなるよう張設されたチェーンベルト２０Ａ、２０Ｂに弁当箱フォルダ３を固定したものである。
【００３０】
弁当箱フォルダ３を搬送コンベア２の主たる構成部材であるチェーンベルト２０Ａ、２０Ｂへ固定するには、次のように行う。即ち、図４及び図５に示されるように、弁当箱フォルダ３の底面中央に左右のチェーンベルト２０Ａ、２０Ｂの間隔に対応する長さの取付テーブル２４を溶着固定する。この取付テーブル２４を、チェーンベルト２０Ａ、２０Ｂの移動方向に直交する方向の左右端部で、同位置にあるチェーンベルト２０Ａ、２０Ｂの１ピッチ分の外継ぎ手プレート２５に固定する。
【００３１】
取付テーブル２４は、チェーンベルト２０Ａ、２０Ｂの折り返し回転位置１０ａでチェーンベルト２０Ａ、２０Ｂが弁当箱フォルダ３に無用な圧を加えないような装着手段とならなければならない。そうでなければ弁当箱フォルダ３を折り返し回転位置１０ａで回転させることができない。そのため、取付テーブル２４はチェーンベルト２０Ａ、２０Ｂの１ピッチ分の外継ぎ手プレート２５にのみ固定されている。
【００３２】
図２及び図３に示されるように、弁当箱フォルダ３は、搬送コンベア２の表面（搬送面の上面側及び下面側）に上面開口部を向けて主たる構成部材であるチェーンベルト２０Ａ、２０Ｂに装着されている。弁当箱フォルダ３は、弁当箱８が投入可能な大きさの上面開口部を有する箱体３０と、箱体３０内部で弁当箱８の保持手段及び解放手段となる保持部材とによりなる。
【００３３】
保持部材は、いくつかの実施例が考えられる。図３乃至図６に示される第１実施例の弁当箱フォルダ３に用いられる保持部材は、弁当箱フォルダ３の移動方向に長尺で該移動方向と直交する方向に進退可能な可動板３２と、可動板３２と対向する側の弁当箱フォルダ３の側壁である固定壁３１とで構成される。保持部材は、可動板３２を固定壁３１に向かって進めることにより両者の間に弁当箱８を押圧挟持して保持し、反対方向に戻ることにより押圧を解除し弁当箱８を解放する。
【００３４】
弁当箱８の保持及び解放の切替手段は、図５に示されるように、搬送コンベア２の移動方向に沿って弁当箱フォルダ３の左右両側に、その間隔を保持及び解放のために大きく又は小さく設定したガイドレール３８Ａ、３８Ｂと、このガイドレール３８Ａ、３８Ｂに当接しながら弁当箱フォルダ３と共に移動するフォロア３４Ａ、３４Ｂと、ガイドレール３８Ａ、３８Ｂの間隔により接近又は離隔するフォロア３４Ａの動作を保持部材の可動板３２に伝達する連結部材３３とでなる。
【００３５】
図４に示されるように、可動板３２には、可動板３２を固定壁３１側へ進退させる連結部材３３が固着され、連結部材３３の可動板３２と反対側の他端を弁当箱フォルダ３の壁３７の外へと突出させている。尚、壁３７と可動板３２との間には、弁当箱８を保持するためのスプリング３６が装着されている。即ち、可動板３２は、連結部材３３により固定壁３１側から遠ざかる方向に引かれない限り、弁当箱８側に付勢されており、弁当箱８があれば、それを保持している。
【００３６】
図５に示されるように、連結部材３３の壁３７の外に突出した側の端部は、上面側のチェーンベルト２０Ａの上方、下面側のチェーンベルト２０Ａの下方に設けられたガイドレール３８Ａにフォロア３４Ａを介して装着される。尚、弁当箱フォルダ３の固定壁３１の外側にも同様のフォロア３４Ｂを有する取付体３５が取り付けられている。
【００３７】
固定壁３１側に設置されたガイドレール３８Ｂは、図５に示されるようにチェーンベルト２０Ｂと同位置の上方及び下方に設置される。ガイドレール３８Ｂの位置は搬送コンベア２の移動方向と直交する方向において位置の変更はない。他方、可動板３２側に設置されたガイドレール３８Ａは、図５及び図６に示されるように、弁当箱投入部１１においては、チェーンベルト２０Ａとほぼ同位置の上方に設置されているが、弁当箱保持部１２にては、図６に示されるように弁当箱投入部１２のチェーンベルト２０Ａの位置より固定壁３１側によった位置に変更されて設置されている。
【００３８】
即ち、図６に示されるように、弁当箱投入部１１において、ガイドレール３８Ａとガイドレール３８Ｂの間隔は広く、連結部材３３がチェーンベルト２０Ａ側に引かれ、固定壁３１と可動板３２の間隔は弁当箱８が投入可能な広い間隔を確保する。他方、弁当箱保持部１２の位置からガイドレール３８Ａが固定壁３１側に寄ることにより、ガイドレール３８Ａとガイドレール３８Ｂの間隔が狭くなり、連結部材３３が固定壁３１側に押し出され、固定壁３１と可動板３２の間隔はスプリング３６の力により弁当箱８を挟持可能な狭い間隔となる。
【００３９】
弁当箱保持部１２より除去部１３を経て弁当箱受渡部１４の直前まで、固定壁３１と可動板３２とは,スプリング３６に押されて弁当箱８を保持可能な位置を保つ。尚、図５中、上側のガイドレール３８Ａの内、実線で示される部分が弁当箱投入部１１における位置であり、点線で示される部分が弁当箱保持部１２における位置である。下側のガイドレール３８Ａの内、実線で示される部分が弁当箱受渡部１４の直前での位置である。
【００４０】
弁当箱受渡部１４では、ガイドレール３８Ａの位置が元の広い位置に戻り、ガイドレール３８Ａとガイドレール３８Ｂとは、弁当箱投入部１１の位置と同様の広い間隔となり、この結果、連結部材３３はガイドレール３８Ａ側に引き戻され、可動板３２と固定壁３１とは、弁当箱８を解放するに適する間隔に広がり、弁当箱８は弁当箱フォルダ３から落下し、洗浄装置５の搬入部６に搬入される。図５中、下側のガイドレール３８Ａの内、点線で示される部分が弁当箱受渡部１４における位置である。
【００４１】
除去部１３には、弁当箱フォルダ３に保持された弁当箱８のシートの端部、詳しくは弁当箱８とシートの間に向かってやや下方より気体を噴射する気体噴射機構が除去装置として設けられている。除去部１３の下方には、図示されていないが、残菜等回収ベルトコンベアが設置されている。
【００４２】
除去装置としての気体噴射機構は具体的にはエアー噴射ノズル４０を複数設けたものである。エアー噴射ノズル４０は、図２に示されるように、搬送コンベア２の回転位置１０ａの下方位置、及び折り返した後の下面側搬送コンベア２の下方位置に複数個設置される。エアー噴射ノズル４０は、図３に示されるように、弁当箱フォルダ３の底面を外した位置の下方の左右から弁当箱８とシートの間に向かってエアーを噴射可能なるよう設置されている。
【００４３】
実施例でのエアー噴射ノズル４０の形状は筒状のピンホール形であるが、フラット形であってもよく、勿論、フラット形とピンホール形の集合形であってもよい。尚、エアー噴射ノズル４０より吹き出されるエアーは、常温でも熱風でもよい。  
【００４４】
以下、第１実施例の弁当箱フォルダ３を用いた前処理装置１の動きについて説明する。
前処理装置１の搬送コンベア２は、図１及び図２の太い矢印に示される方向に移動している。搬送コンベア２の移動路中弁当箱投入部１１の位置で、内側にシートが敷かれた使用済み弁当箱８が開口面を上向きとして弁当箱フォルダ３に投入される。図６に示されるように、弁当箱投入部１１においては、弁当箱フォルダ３で固定壁３１と可動板３２の間隔が弁当箱８の幅より広く設定されているため、投入が可能である。
【００４５】
弁当箱８が投入された弁当箱フォルダ３は、弁当箱保持部１２に向かって進行する。図６に示されるように、弁当箱保持部１２の位置では、ガイドレール３８Ａが固定壁３１側に寄り、ガイドレール３８Ａとガイドレール３８Ｂの間隔が狭くなり、連結部材３３が固定壁３１側に押し出され、固定壁３１と可動板３２の間隔が狭くなり弁当箱８を挟持して保持する。
【００４６】
弁当箱８を保持した弁当箱フォルダ３は、回転位置１０ａにて反転し、それと同時に除去部１３内を移動する。除去部１３では、反転による衝撃、残菜等の自重及びエアー噴射ノズル４０からの噴射エアーにより弁当箱８内の残菜及びシートが除去され残菜等回収ベルトコンベアに落下する。
【００４７】
残菜及びシートが除去された弁当箱８を開口面を下向きにして保持する弁当箱フォルダ３は、その後弁当箱受渡部１４に向かって移動する。弁当箱受渡部１４では、ガイドレール３８Ａが元の広い位置に戻り、ガイドレール３８Ａとガイドレール３８Ｂとは、弁当箱投入部１１の位置と同様の広い間隔となり、この結果、連結部材３３はガイドレール３８Ａ側に引き戻され、弁当箱８は弁当箱フォルダ３から解放され、開口面を下向きにした状態で洗浄装置５の搬入部６に搬入される。
【００４８】
その後、受け渡し動作を完了した弁当箱フォルダ３は、回転位置１０ｂで反転する。このとき、弁当箱フォルダ３の固定壁３１と可動板３２の間隔が弁当箱８の幅より広い間隔となっているため、弁当箱投入部１１に戻ったことになる。以上の繰り返し動作により連続的に使用済み弁当箱８を洗浄装置５に搬送することができる。
【００４９】
以上、第１実施例では、弁当箱フォルダ３での弁当箱８の保持を可動板３２と固定壁３１とで行っていたが、弁当箱フォルダ３で、大小各種の弁当箱８を保持可能とするため、保持部材の固定壁３１と可動板３２との間に図１３乃至図１６に示されるような間隔調整アタッチメント３９を設け、可動板３２を該間隔調整アタッチメント３９に向けて進めることにより両者の間に上記弁当箱を挟持して保持可能とする実施例も考えられる。
【００５０】
間隔調整アタッチメント３９は、図１３及び図１５に示されるように、可動板３２と同方向に長尺で平行な板体を弁当箱フォルダ３の進行方向前後の内壁に、該進行方向を軸として、弁当箱フォルダ３内で内側と外側に回動自在に設置されたものである。間隔調整アタッチメント３９は、図１３及び図１４及びに示されるように内側に回転させることにより、可動板３２との間隔を狭め、幅の狭い弁当箱８の保持に適するようになり、図１５及び図１６に示されるように外側に回転させることにより可動板３２との間隔を広め、幅の広い弁当箱８の保持に適するようになる。  
【００５１】
次に、図７及び図８に示されるように、第２実施例に係る弁当箱フォルダ３Ａに用いられる保持部材は、弁当箱フォルダ３Ａの移動方向に長尺で該移動方向と直交する方向で向かい合って、同向かい合った方向に進退可能な可動板４１Ａ、４１Ｂよりなる。可動板４１Ａ、４１Ｂは、互いに向かい合って進むことにより両者の間に弁当箱８を挟持して保持するものである。
【００５２】
第２実施例に係る弁当箱フォルダ３Ａでの弁当箱８の保持及び解放の切替手段は、搬送コンベア２の移動方向に沿って弁当箱フォルダ３Ａの下方にその間隔を保持及び解放のために大きく又は小さく設定したガイドレール３８Ａ、３８Ｂと、このガイドレール３８Ａ、３８Ｂに当接しながら弁当箱フォルダ３と共に移動するフォロア３４Ａ、３４Ｂと、ガイドレール３８Ａ、３８Ｂの間隔により接近又は離隔するフォロア３４Ａ、３４Ｂの動作を可動板４１Ａ、４１Ｂに伝達する連結機構４２とでなる。
【００５３】
連結機構４２はフォロア３４Ａ、３４Ｂの接近離隔の運動を回転運動に変換する回転体４３と回転体４３の回動を可動板４１Ａ、４１Ｂの進退運動に変換するための連結金具４４とによりなる。
【００５４】
回転体４３の連結部４３Ａ、４３Ｂは、弁当箱フォルダ３Ａの底面に形成されたスリット４５より弁当箱フォルダ３Ａ内に挿入され、連結金具４４と連結されいる。連結金具４４には、回転体４３の回転運動を、進退運動に変換するための案内窓４４Ａが形成されている。
【００５５】
以下、第２実施例の弁当箱フォルダ３Ａでの切替動作について説明する。
弁当箱投入部１１ではガイドレール３８Ａ、３８Ｂは、図８中点線位置、即ち狭い間隔で配置されており、回転体４３が外側に向かって回動させられており、可動板４１Ａ、４１Ｂは広い間隔を保ている。
【００５６】
弁当箱フォルダ３Ａが、弁当箱保持部１２に向かって進行する。図８に示されるように、ガイドレール３８Ａ、３８Ｂが外側に開き、ガイドレール３８Ａ、３８Ｂの間隔が広くなり、回転体４３が内側に向かって回動させられ、可動板４１Ａ、４１Ｂの間隔は狭くなり弁当箱８を挟持して保持する。
【００５７】
弁当箱８の保持力は、弁当箱フォルダ３Ａの側壁４６と可動板４１Ａ、４１Ｂとの間に装着されたスプリング３６の押圧力による。即ち、可動板４１Ａ、４１Ｂは、回転体４３により遠ざかる方向に引かれない限り、弁当箱８側に付勢されており、弁当箱８があれば、それを保持している。
【００５８】
その後、弁当箱フォルダ３Ａが弁当箱受渡部１４に至るとガイドレール３８Ａ、３８Ｂの間隔は弁当箱投入部１１と同じ広い間隔になり、保持していた弁当箱８を解放し、洗浄装置５の搬入部６に受け渡す。
【００５９】
次に、図９及び図１０に示されるように、第３実施例に係る弁当箱フォルダ３Ｂに用いられる保持部材は、弁当箱フォルダ３Ｂの移動方向の前後左右で弁当箱フォルダ３Ｂの中心位置５０よりほぼ等距離である４カ所に各々立設された可動柱５１よりなり、左右の可動柱５１を互いに向かい合って進めることにより該左右の可動柱５１の間に上記弁当箱８を挟持して保持するものである。
【００６０】
第３実施例に係る弁当箱フォルダ３Ｂでの弁当箱８の保持及び解放の切替手段は、搬送コンベア２の移動方向に沿って弁当箱フォルダ３Ｂの下方にその間隔を保持及び解放のために大きく又は小さく設定したガイドレール３８Ａ、３８Ｂと、このガイドレール３８Ａ、３８Ｂに当接しながら弁当箱フォルダ３Ｂと共に移動するフォロア３４Ａ、３４Ｂと、ガイドレール３８Ａ、３８Ｂの間隔により接近又は離隔するフォロア３４Ａ、３４Ｂの動作を可動柱５１に伝達する回転板５２とでなる。
【００６１】
回転板５２は、その中心で、弁当箱フォルダ３Ｂの中心位置５０の下方に存在する取付テーブル２４に設けられた回転軸５３に回動自在に装着されている。回転板５２の端部４カ所には、可動柱５１が立設されている。従って，可動柱５１は、弁当箱フォルダ３Ｂの中心位置５０よりほぼ等距離である４カ所に各々立設されることになる。可動柱５１は、弁当箱フォルダ３Ｂの底面に形成されたスリット４５より弁当箱フォルダ３Ｂ内に入り込んでいる。可動柱５１の可動範囲はスリット４５で規制される。
【００６２】
以下、第３実施例の弁当箱フォルダ３Ｂでの切替動作について説明する。
弁当箱投入部１１ではガイドレール３８Ａ、３８Ｂは、図示されていないが広い間隔で配置されており、回転板５２に立設されている移動方向左右（図９中上下で図１０中左右）の可動柱５１は広い間隔を保ている。
【００６３】
弁当箱フォルダ３Ｂが、弁当箱保持部１２に向かって進行する。図１０に示されるようにガイドレール３８Ａ、３８Ｂの間隔が狭くなり、左右の可動柱５１の間隔を狭め弁当箱８を挟持して保持する。その後、弁当箱受渡部１４にて元の間隔に戻り弁当箱８を解放する。尚、弁当箱フォルダ３Ｂの下方には、他実施例と同様、弁当箱保持のためのスプリング３６が装着されている。
【００６４】
第４実施例の弁当箱フォルダ３Ｃは、図１１及び図１２に示される。第３実施例に係る弁当箱フォルダ３Ｂにおける可動柱５１に保持板６４Ａ、６４Ｂを装着したもので、具体的には図１１及び図１２に示される可動柱６１Ａ、６１Ｂ、６１Ｃ、６１Ｄに保持板６４Ａ、６４Ｂを連結枠６５を介して装着したものである。即ち、進行方向右側の前後可動柱６１Ａ、６１Ｄに保持板６４Ａを装着し、進行方向左側の前後の可動柱６１Ｂ、６１Ｃに保持板６４Ｂを装着している。第４実施例の弁当箱フォルダ３Ｃでの切替動作は、第３実施例の弁当箱フォルダ３Ｂの場合と同様である。
【符号の説明】
【００６５】
１・・・・・・・・前処理装置
２・・・・・・・・搬送コンベア
３、３Ａ、３Ｂ、３Ｃ・・・弁当箱フォルダ
５・・・・・・・・洗浄装置
６・・・・・・・・搬入部
７・・・・・・・・基枠
８・・・・・・・・弁当箱
１０ａ、１０ｂ・・回転位置
１１・・・・・・・弁当箱投入部
１２・・・・・・・弁当箱保持部
１３・・・・・・・除去部
１４・・・・・・・弁当箱受渡部
２０Ａ、２０Ｂ・・チェーンベルト
２１・・・・・・・前スプロケット
２２・・・・・・・後スプロケット
２４・・・・・・・取付テーブル
２５・・・・・・・外継ぎ手プレート
２６・・・・・・・プレスナット
３０・・・・・・・箱体
３１・・・・・・・固定壁
３２・・・・・・・可動板
３３・・・・・・・連結部材
３４Ａ、３４Ｂ・・フォロア
３５・・・・・・・取付体
３６・・・・・・・スプリング
３７・・・・・・・壁
３８Ａ、３８Ｂ・・ガイドレール
３９・・・・・・・間隔調整アタッチメント
４０・・・・・・・エアー噴射ノズル
４１Ａ、４１Ｂ・・可動板
４２・・・・・・・連結機構
４３・・・・・・・回転体
４３Ａ、４３Ｂ・・連結部
４４・・・・・・・連結金具
４４Ａ・・・・・・案内窓
４５・・・・・・・スリット
４６・・・・・・・側壁
５０・・・・・・・中心位置
５１・・・・・・・可動柱
５２・・・・・・・回転板
５３・・・・・・・回転軸
６１Ａ、６１Ｂ、６１Ｃ、６１Ｄ・・・可動柱
６４Ａ、６４Ｂ・・保持板
６５・・・・・・・連結枠
【図１】
2014019546.tif 000003
【図２】
2014019546.tif 000004
【図３】
2014019546.tif 000005
【図４】
2014019546.tif 000006
【図５】
2014019546.tif 000007
【図６】
2014019546.tif 000008
【図７】
2014019546.tif 000009
【図８】
2014019546.tif 000010
【図９】
2014019546.tif 000011
【図１０】
2014019546.tif 000012
【図１１】
2014019546.tif 000013
【図１２】
2014019546.tif 000014
【図１３】
2014019546.tif 000015
【図１４】
2014019546.tif 000016
【図１５】
2014019546.tif 000017
【図１６】
2014019546.tif 000018